(57)【要約】【課題】ロアカバーと結合されるケース本体に電気電子部品を収容し、該電気電子部品に接続した電線群を簡単に外部へ引き出せるようにする。【解決手段】電気接続箱のケース本体の上下開口の収容部内に上方から電気電子部品が挿入固定され、該電気電子部品に接続された電線群が外部に引き出され、前記ケース本体の下部にロアカバーが取り付けられる車載用の電気接続箱において、前記ケース本体に設けられた電線引出口の周縁に半割筒形状の第一電線ガイド枠が突設され、該第一電線ガイド枠の一端に薄肉ヒンジを介して半割筒形状の第二電線ガイド枠が突設され、または、前記第一電線ガイド枠に外嵌する別体の半割筒形状の第二電線ガイド枠を備え、前記第一電線ガイド枠に沿わせて前記ケース本体内の電線群が外部に引き出され、前記第二電線ガイド枠で前記電線群の全周が囲まれ、前記ケース本体にのみ該電線群が取り付けられて外部に引き出されている。【選択図】図１
2018207597.tif 000002
【特許請求の範囲】
【請求項１】
電気接続箱のケース本体の上下開口の収容部内に上方から電気電子部品が挿入固定され、該電気電子部品に接続された電線群が外部に引き出され、前記ケース本体の下部にロアカバーが取り付けられる車載用の電気接続箱において、
前記ケース本体に設けられた電線引出口の周縁に半割筒形状の第一電線ガイド枠が突設され、該第一電線ガイド枠の一端に薄肉ヒンジを介して半割筒形状の第二電線ガイド枠が突設され、
または、前記第一電線ガイド枠に外嵌する別体の半割筒形状の第二電線ガイド枠を備え、
前記第一電線ガイド枠に沿わせて前記ケース本体内の電線群が外部に引き出され、前記第二電線ガイド枠で前記電線群の全周が囲まれ、前記ケース本体にのみ該電線群が取り付けられて外部に引き出されている車載用の電気接続箱。
【請求項２】
前記ケース本体は上部にアッパーカバーが取り付けられ、前記電線群は前記ケース本体の第一、第二電線ガイド枠で外嵌されて粘着テープで前記ケース本体と固着され、前記ロアカバーおよびアッパーカバーに前記電線群は取り付けられることなく外部に引き出される請求項１に記載の車載用の電気接続箱。
【請求項３】
前記電気電子部品はヒューズブロックとリレーモジュールからなり、これら電気電子部品のハウジングの外面にロック部を備え、該ロック部を前記ケース本体の収容部の内面に設けた被ロック部に係止して該電気電子部品を前記ケース本体に固定し、
前記ケース本体に前記ロアカバーを結合前に、前記第一、第二電線ガイド枠で前記電線を囲んでテープ巻き固定していると共に、前記リレーモジュールの下部に嵌合しているコネクタの嵌合状態および電線の噛み込みを下方から検査可能としている請求項１または請求項２に記載の車載用の電気接続箱。
【発明の詳細な説明】
【技術分野】
【０００１】
本発明は車載用の電気接続箱に関し、詳しくは、車両に搭載するリレーボックス等の電気接続箱のケース本体に、電線と接続したヒューズブロック、リレーモジュール等の電気電子部品を収容している電気接続箱において、ケース本体から引き出す電線の固定を改良して、ケース本体にロアカバーを簡単に着脱できるようにするものである。
【背景技術】
【０００２】
この種の電気接続箱は図５に示すように、ケース本体１００の内部にヒューズブロック１１１を収容し、該ケース本体１００の電線引出口から電線ガイド枠１１２に沿ってヒューズブロック１１１に接続したワイヤハーネスの電線１３０を引き出し、ついで、ロアカバー１２０をケース本体１００の下部に取り付け、該ロアカバー１２０に設けた電線ガイド枠１２１を電線１３０を挟んで電線ガイド枠１１２と組み合わせて電線１３０の外周を囲み、この状態で粘着テープ１４０を巻き付けて、電線１３０をケース本体１００とロアカバー１２０とに固着している。その後、ケース本体１００にリレーモジュール１５０等の所要の電気電子部品を収容し、アッパーカバー１６０をケース本体１００に被せて組みつけ、電気接続箱を組み立てている。
【０００３】
また、特開２００８−１０４２５５号公報で図６に示す電気接続箱のワイヤハーネス配索構造が提供されている。該電気接続箱では、ヒューズブロック、リレーブロック等を収容するケース本体２００の外側壁に沿ってワイヤハーネス専用引出用の上半筒部２０１を備える一方、該上半筒部２０１の下部に合わせる下半筒部２３３を備えるロアカバー２３０を設け、ヒューズブロック等と接続したワイヤハーネスの電線を上下半筒部２０１と２３３で囲んでロック結合している。
【先行技術文献】
【特許文献】
【０００４】
【特許文献１】特開２００８−１０４２５５号公報
【発明の概要】
【発明が解決しようとする課題】
【０００５】
図５および特許文献１に開示された図６に示す電気接続箱では、いずれも、ケース本体に収容する電気電子部品に接続しているワイヤハーネスの電線群を、ケース本体とロアカバーにそれぞれ設けた電線ガイド筒を組み合わせて電線群の全周を囲み、テープ巻き固定または電線ガイド筒同士をロック結合している。
このように、ケース本体とロアカバーとはワイヤハーネスを囲んでテープ巻き固着またはロック結合していると、ケース本体とロアカバーとの間の他のロック部を解除しても分離できず、ヒューズ交換等のメンテナンスが容易に出来ない問題がある。
【０００６】
また、特許文献１ではワイヤハーネス専用引出部分は電気電子部品を収容するケース本体の下部ではなく、外壁に沿った側部に設けているため、電気接続箱の設置面積が大きくなり、かつ、ワイヤハーネスの配索方向も特定される問題がある。
【０００７】
通常、図５に示すように、ケース本体１００から下方に延在する半円筒状の電線ガイド枠１１２とロアカバー１２０の下端から下方へ延在する半円筒状の電線ガイド枠１２１とでワヤハーネスの電線１３０を囲んで、ワイヤハーネスを下方へ引き出している場合が多い。該構造において、ケース本体にヒューズブロックを収容した後にロアカバーをケース本体に組みつけ、ヒューズブロックから下方に引き出す電線を電線ガイド枠１１２と１２１で囲んでテープ巻き固着する。其の後、ケース本体１００にリレーモジュール１５０を上面開口から挿入すると、該リレーモジュール１５０の下部に嵌合しているコネクタ１８０の嵌合状態を外方からチェックできず、かつ、コネクタ１８０に接続する電線１９０がケース本体１００内で噛み込みが発生していても外部から検知できない問題がある。
【０００８】
本発明は前記問題に鑑みてなされたもので、電気接続箱から電線を簡単に引き出すことができ、メンテナンスが容易で、かつ、ケース本体に収容する電気電子部品に嵌合するコネクタの嵌合検知および電線の噛み込みの有無が外方から検査できるようにした車載用の電気接続箱を提供することを課題としている。
【課題を解決するための手段】
【０００９】
前記課題を解決するため、本発明は、電気接続箱のケース本体の上下開口の収容部内に上方から電気電子部品が挿入固定され、該電気電子部品に接続された電線群が外部に引き出され、前記ケース本体の下部にロアカバーが取り付けられる車載用の電気接続箱において、
前記ケース本体に設けられた電線引出口の周縁に半割筒形状の第一電線ガイド枠が突設され、該第一電線ガイド枠の一端に薄肉ヒンジを介して半割筒形状の第二電線ガイド枠が突設され、
または、前記第一電線ガイド枠に外嵌する別体の半割筒形状の第二電線ガイド枠を備え、
前記第一電線ガイド枠に沿わせて前記ケース本体内の電線群が外部に引き出され、前記第二電線ガイド枠で前記電線群の全周が囲まれ、前記ケース本体にのみ該電線群が取り付けられて外部に引き出されている車載用の電気接続箱を提供している。
【００１０】
前記ケース本体は上部にアッパーカバーが取り付けられ、前記電線群は前記ケース本体の第一、第二電線ガイド枠で外嵌されて粘着テープで前記ケース本体と固着され、前記ロアカバーおよびアッパーカバーに前記電線群は取り付けられることなく外部に引き出される。
【００１１】
前記電気電子部品はヒューズブロックとリレーモジュールからなり、これら電気電子部品のハウジングの外面にロック部を備え、該ロック部を前記ケース本体の収容部の内面に設けた被ロック部に係止して該電気電子部品を前記ケース本体に固定し、
前記ケース本体に前記ロアカバーを結合前に、前記第一、第二電線ガイド枠で前記電線を囲んでテープ巻き固定していると共に、前記リレーモジュールの下部に嵌合しているコネクタの嵌合状態および電線の噛み込みを下方から検査可能としている。
【００１２】
前記ケース本体に収容する電気電子部品に接続する電線群（ワイヤハーネス）は、下方のロアカバー側から引き出す場合は、該ロアカバーにワイヤハーネス引出部を設けず、かつ、前記電線群を上方のアッパーカバー側から引き出す場合には、該アッパーカバーにワイヤハーネス引出部を設けていない。即ち、ロアカバーおよびアッパーカバーにワイヤハーネスを固定しておらず、ワイヤハーネスと関係なくケース本体に対してロアカバーおよびアッパーカバーを取り外し、取り付けできるものとしている。  
【発明の効果】
【００１３】
本発明の車載用の電気接続箱では、該電気接続箱のケース本体の収容部に挿入するヒューズブロック、リレーモジュール等の電気電子部品に接続したワイヤハーネスの電線群をケース本体にのみ固着し、ロアカバーとケース本体（あるいはアッパーカバーとケース本体）の電線ガイド枠でワイヤハーネスを囲んでテープ巻き固着していない。よって、ロアカバーやアッパーカバーはケース本体にロック結合するだけのワンタッチ操作で取り付けることができる。かつ、ロアカバーを取り付けることなくケース本体から導出する電線群をケース本体に固着しているため、ロアカバーの取付前にケース本体に収容している電気電子部品とコネクタの嵌合状態、電線群の噛み込みの有無を下方から目視検査することが可能となる利点を有する。
【図面の簡単な説明】
【００１４】
【図１】本発明の第一実施形態のリレーボックスの概略分解斜視図である。
【図２】前記リレーボックスのケース本体から電線群を外部に引き出している部分を示し、（Ａ）は要部拡大斜視図、（Ｂ）は第一、第二電線ガイド枠の機能を示す図面である。
【図３】（Ａ）はリレーボックスに収容するリレーモジュールの分解斜視図、（Ｂ）は該リレーモジュールをケース本体に収容した状態の断面図である。
【図４】本発明の第二実施形態を示す概略図である。
【図５】（Ａ）は従来例を示す概略断面図、（Ｂ）は（Ａ）の要部拡大断面図である。
【図６】他の従来例を示す斜視図である。
【発明を実施するための形態】
【００１５】
以下、本発明を図面に示す実施形態を参照して詳述する。
図１乃至図３に本発明の第一実施形態を示す。
第一実施形態の車載用の電気接続箱は自動車に搭載されるリレーボックス１であり、該リレーボックス１は上下開口のケース本体２内に電気電子部品のヒューズブロック４とリレーモジュール３を挿入して収容した後、ケース本体２の下部にロアカバー５、上部にアッパーカバー６を取り付けて組み立てている。
【００１６】
ケース本体２は樹脂成形品からなり、外側壁２ａの内部をリレーモジュール３の収容部２ｂとヒューズブロック４の収容部２ｃに仕切壁２ｗで仕切っている。
前記収容部２ｂを囲むケース本体２の外側壁２ａの内面および仕切壁２ｗには、図３（Ａ）に示すように、リレーモジュール３のハウジング１０の外面に設けたロック枠１０ｒと係止する係止爪（図示せず）からなるロック手段を設けている。ヒューズブロック４も同様に収容部２ｃ内に固定するロック手段を設けている。リレーモジュール３、ヒューズブロック４を収容部２ｂ、２ｃに所定深さまで挿入すると、前記ロック手段によりリレーモジュール３、ヒューズブロック４はケース本体２内にロック固定されるものとしている。
【００１７】
また、ケース本体２には外側壁２ａの隅部にヒューズブロック４に接続するワイヤハーネスの電線群３１およびリレーモジュール３に接続する電線群３０を下方へ引き出すために図２に示すように、半円形の電線引出口８を設けると共に、該電線引出口８の周縁から下向きに半割筒形状の第一電線ガイド枠２０を下向きに突出している。さらに、該第一電線ガイド枠２０の一端に薄肉ヒンジ部２１を介して半割筒形状の第二電線ガイド枠２２を突設している。該第二電線ガイド枠２２の他端２２ａと第一電線ガイド枠２０の他端２０ａを接合すると電線群３１と３０の全周を囲む円筒ガイド２３となるようにしている。該円筒ガイド２３で電線群３１、３０を囲んだ後、粘着テープ３３を巻き付けて、ワイヤハーネスの電線群をケース本体２に固着して下方へ引き出すものとしている。
【００１８】
一方、ロアカバー５は前記ケース本体２から下方へ突出する第一、第二電線ガイド枠２０、２２を貫通させる凹部２４を隅部に設けている。該ロアカバー５とケース本体２の外側壁の外面には互いに係止するロック枠とロック爪からなるロック手段（図示せず）を設けている。かつ、ケース本体２とアッパーカバー６の外面にも互いに係止するロック手段（図示せず）を設けている。
【００１９】
図３に示すように、リレーモジュール３は、収容部２ｂに収容する縦長な直方体形状のハウジング１０内に、基板リレーを実装した回路基板１１を収納しており、該回路基板１１は３つの基板リレーに接続する３つの基板コネクタ１２を図中下端に並設している。これら基板コネクタ１２に電線３０を端末に接続した３つのコネクタ１５をそれぞれ嵌合し、回路基板１１を介して基板リレーと電線３０を接続している。
【００２０】
ハウジング１０の外側壁１０ａにロック枠１０ｒを設けると共に収容部２ｂを囲む仕切壁２ｗおよび外側壁２ａの内面にロック爪（図示せず）を設けている。ハウジング１０が収容部２ｂ内の所定位置まで挿入されると、ロック爪がロック枠１０ｒに係止し、リレーモジュール３は収容部２ｂ内に固定されるものとしている。其の際、リレーモジュール３の下面に取り付けるコネクタ１５に接続する電線３０が収容部２ｂ内で噛み込みが発生し、ハウジング１０が所定位置まで挿入せずにロック結合できないと、電線３０が噛み込んでいる等の不具合が発生していることが解るようにしている。即ち、ケース本体２へのリレーモジュール３の挿入固定はロアカバー５をケース本体２へ結合する前に行うことで、リレーモジュール３の底面へのコネクタ１５の嵌合状態をケース本体２の下方から目視検査できると共に、コネクタ１５に接続する電線３０が広がってケース本体２内の隙間等に噛み込んでいないかも下方から目視検査できる。
【００２１】
前記リレーボックス１の組み立ては、ケース本体２の収容部２ｃにヒューズブロック４を上方開口から挿入し、ロック手段でヒューズブロック４を収容部２ｃ内に固定する。該ヒューズブロック４に接続する電線群３１を下方へ引き出した後に隅部の電線引出口８に導入し、第一電線ガイド枠２０の内面に沿わせて下方へ引き出す。
【００２２】
ついで、下面に電線群３０を接続したコネクタ１５を嵌合したリレーモジュール３をケース本体２の収容部２ｂに上方から挿入し、ロック手段でリレーモジュール３を収容部２ｂ内に固定する。コネクタ１５から下方へ延在する電線群３０を前記電線引出口８へと導き、第一電線ガイド枠２０の内面に沿わせて下方へ引き出す。
【００２３】
このように、リレーモジュール３をケース本体２の収容部２ｂに挿入した状態で、ロアカバー５をケース本体２の下部に被せて結合していないため、開口した下方からリレーモジュール３へのコネクタ１５の嵌合状態を検査できる。検査時にコネクタ１５が正規位置より下方に突出していると半嵌合と判定でき、コネクタ１５を下方より押し込んで、本嵌合位置に矯正することができる。かつ、電線群３０が広がって隙間等に噛み込んでいないかも検査できる。
【００２４】
このように、下方へ引き出す電線群３０、３１を第一電線ガイド枠２０の内面に沿わせて下方へ引き出した状態で、図２（Ｂ）に示すように、薄肉ヒンジ部２１を支点として第二電線ガイド枠２２を電線群３０、３１の外周面に沿わせて回転し、第一、第二電線ガイド枠２０と２２とで電線群３０、３１の全周を囲み円筒ガイド２３とする。この状態で、電線群３０、３１の外周面から円筒ガイド２３の外周面にかけて粘着テープ３３を巻き付けて、電線群３０、３１をケース本体２にのみ固着する。
【００２５】
前記のように、リレーボックス１から外方へ引き出すワイヤハーネスの電線群３０、３１をケース本体２に固着し、ロアカバー５に固着しないため、ロアカバー５はケース本体２にロック結合するだけでよく、ワンタッチで組みつけることができる。
ロアカバー５をケース本体２にロック結合した後に、アッパーカバー６をケース本体２にロック結合してリレーボックス１を組み立てている。
【００２６】
このように、本発明のリレーボックス１からなる電気接続箱は、内部に収容する電気電子部品のヒューズブロック４、リレーモジュール３に接続した電線群３１、３０を、ロアカバー５の取付前に、ケース本体２にのみ固着することができる。その結果、リレーボックス１の組み立てが容易に行えると共に、リレーモジュール３へのコネクタ１５の嵌合検査および電線群３０の噛み込み検査を行うことができる。かつ、ロアカバー５の形状が簡単となり、製造コストを低減できる。
【００２７】
図４に第二実施形態を示す。
第二実施形態では、ケース本体２に設けている第一電線ガイド枠２０に、第二電線ガイド枠を連続して設けておらず、別体としたＣ型の第二電線ガイド枠５０を設けている点が相違している。他の構成は第一実施形態と同様であるため、同一符号を付して説明を省略する。
【００２８】
第二実施形態では、ケース本体２に収容する電気電子部品に接続した電線群３０、３１を第一電線ガイド枠２０に沿って外部に引き出した後に、第二電線ガイド枠５０を電線群に外嵌して第一電線ガイド枠２０と第二電線ガイド枠５０とで電線群の外周を囲み、粘着テープ３３を巻き付けてケース本体２にワイヤハーネスの電線群を固着している。
【００２９】
このように、第二実施形態においても、ワイヤハーネスはケース本体にのみ固着し、ロアカバーにワイヤハーネスを固着しないため、ケース本体に収容したリレーモジュール等の電気電子部品のコネクタ嵌合状態及び電線の噛み込みの有無を下方から目視検査することができる等、第一実施形態と同様の作用効果を有する。
【００３０】
前記第一、第二実施形態はリレーボックスのケース本体に設けた収容部に、ヒューズブロックとリレーモジュールを挿入しているが、該形態に限定されず、ケース本体の電気電子部品に電線を接続し、該ケース本体にロアカバーを結合する電気接続箱であれば好適に用いられるものである。
【符号の説明】
【００３１】
１  リレーボックス
２  ケース本体
２ａ  外側壁
２ｂ、２ｃ  収容部
２ｗ  仕切壁
３  リレーモジュール
４  ヒューズブロック
５  ロアカバー  
６  アッパーカバー
８  電線引出口
１５  コネクタ
２０  第一電線ガイド枠
２１  薄肉ヒンジ部
２２  第二電線ガイド枠
３０、３１  電線群
３３  粘着テープ
【図１】
2018207597.tif 000003
【図２】
2018207597.tif 000004
【図３】
2018207597.tif 000005
【図４】
2018207597.tif 000006
【図５】
2018207597.tif 000007
【図６】
2018207597.tif 000008